(57)【要約】      （修正有）【課題】非使用時には小さな短冊状の長方形の形状に折りたたまれ、使用時には先方が広面積となった多角形状の状態となり、使用時の扇ぎ動作時にも形状のくずれ等が生じない折りたたみ式うちわを提供する。【解決手段】  略平行な長手方向長辺部をもつ長尺板３を長さ方向に略３等分する位置でそれぞれ該長辺部に対して直角に直角谷折り線５，６を形成し、一方の直角谷折り線の端部から斜め中央側へ傾斜した斜め山折り線７を形成し、同じ長尺板長辺部上の他方の直角谷折り線の端部から斜め中央側へ傾斜した斜め谷折り線８を形成し、斜め山折り線と斜め谷折り線で折りたたんだ状態で斜め山折り線側の長尺板の端片領域Ｂを斜め谷折り線側の長尺板の端片領域Ｃの上側に重ね合せて該長尺板端部を使用時の持手側としてうちわを形成した状態とし、長尺板３の両端を直角谷折り線５，６で折りたたんで重ねた状態を非使用時の収納状態とする。【選択図】図２
0003191806.tif 000002
【実用新案登録請求の範囲】
【請求項１】
可撓性長尺板の両端部からそれぞれ略１／３の箇所に、中心に向って対称に傾斜した傾斜折り目を形成し、前記傾斜折り目に従って長尺板両端部を互いに反対方向に折りたたみ、この折りたたんだ両端部を互い違いに重ね合せてうちわを形成し、非使用時に各長尺板端部を内側へ折りたたむため前記長尺板の長手方向側辺に対して直角な直角折り目を形成してなることを特徴とする折りたたみ式うちわ。
【請求項２】
前記傾斜折り目の一方は前記長尺板の表面に対して山折りの折り跡で形成され、前記傾斜折り目の他方は前記長尺板の前記表面に対して谷折りの折り跡で形成されることを特徴とする請求項１に記載した折りたたみ式うちわ。
【請求項３】
前記傾斜折り目は前記長尺板の長手方向側片に対する角度を短手方向側片に対する角度より大きく形成したことを特徴とする請求項１又は２に記載した折りたたみうちわ。
【請求項４】
前記傾斜折り目は前記長尺板の長手方向側辺に対して略５５°の角度で傾斜することを特徴とする請求項１乃至３のいずれかに記載した折りたたみ式うちわ。
【請求項５】
前記長尺板の長手方向の両端部の隅部を傾斜形に切除したことを特徴とする請求項１乃至４のいずれかに記載した折りたたみ式うちわ。
【請求項６】
前記直角折り目は前記長尺板の各端部から全長の略１／３の箇所に形成されることを特徴とする請求項１乃至５のいずれかに記載した折りたたみ式うちわ。
【請求項７】
前記直角折り目に近接した位置で長尺板の板面内に、非使用時の折りたたみの際に反対側の長尺板端部を差し込む切込み溝が形成されることを特徴とする請求項１乃至６のいずれかに記載した折りたたみ式うちわ。
【考案の詳細な説明】
【技術分野】
【０００１】
本考案は折りたたみ式のうちわに関し、具体的には、使用しない収納時には短冊状の矩形板の形状に折りたたむことができ、使用時には広面積の多角形状に折り込むことができる携帯用折りたたみ式うちわに関する。
【背景技術】
【０００２】
一般にうちわは扇子のように折りたたむようには構成されておらず、広面積の円形ないし楕円形、あるいは扇形の端部に軸枝を取り付けた形状のものが普通である。場合によっては、軸枝を設けずに単に広面積の平板体の縁部近くに持手の指を通す孔を明けたものも知られている。このように、うちわは扇子に比べて携帯には不便であるが、できるだけ携帯用としても使えるように非使用時には重なり式に折りたたみ、使用時には先端側を横方向にずらせるように長尺板の中間部位を若干斜めに折りたたんで部分的に重なるようにしたものが開示されている（特許文献１）。
【先行技術文献】
【特許文献】
【０００３】
【特許文献１】実用新案登録第３１８２８０３号公報
【考案の概要】
【考案が解決しようとする課題】
【０００４】
この種の折りたたみ式うちわを構成するに当っては、非使用時の折りたたみ状態では、できるだけ小形でしかも長方形など単純な形状となり、使用時には先端側が可能な限り大きな面積となるようにする必要がある。また、非使用時の折りたたみ状態から使用時の拡開状態にするときの操作も容易かつ迅速に行える構造とする必要がある。
【０００５】
上述した特許文献１に記載の扇子は、非使用時の折りたたみ状態でも先端側が或る程度扇形となり、使用時の扇子の状態でできるだけ広面積を得ようとすると、どうしても非使用時の折りたたみ状態の形状も横巾の広い扇形とせざるを得ず、これを先端の横巾が狭い扇形とすると、使用時の横方向にずらせた扇子形態としたとき、先端中央に大きな楔状の隙間ができてしまう。また、この形態の扇子では、上下に対称な扇形体の中央部位を若干斜めに折りたたむように重ね合せて扇子とするため、扇子先端側では折り重ねた扇形体が板面に垂直な方向に開く形態、つまり扇子の先端の口が前後に開く形態となってしまう。このため、素材を展開した時の上下対称な扇形体の一方の端部側辺部に切込み溝を形成し、折り重ね状態で他方の端部側辺部を前記切込み溝に係止させるようにしているが、この状態でも使用中に激しく扇ぎ（あおぎ）動作をすると、前記切込み溝と端部側辺部との係合が外れて扇子先端の口が開いてしまう。この側辺部の係合が外れないように切込み溝の切込み深さを大きくすると、切込み溝と端部側辺部との係合操作が煩雑となり、また、前記溝に深く係合させる分だけ扇子の先端横巾が小さくなってしまうという問題があった。
【０００６】
本考案は、非使用時には小さな短冊状の長方形の形状に折りたたまれ、使用時には先方が広面積となった多角形状の状態となり、使用時の扇ぎ動作時にも形状のくずれ等が生じない折りたたみ式うちわを提供することを目的とするものである。
【課題を解決するための手段】
【０００７】
本考案によれば、可撓性長尺板の両端部からそれぞれ略１／３の箇所に、中心に向って対称に傾斜した傾斜折り目を形成し、前記傾斜折り目に従って長尺板両端部を互いに反対方向に折りたたみ、この折りたたんだ両端部を互い違いに重ね合せてうちわを形成し、非使用時に各長尺板端部を内側へ折りたたむための前記長尺板の長手方向側辺に対して直角な直角折り目を形成した折りたたみ式うちわが提供される。
【０００８】
本考案の１つの形態によれば、前記傾斜折り目は前記長尺板の長手方向側片に対する角度を短手方向側片に対する角度より大きく形成される。
【０００９】
本考案の１つの形態によれば、前記傾斜折り目は前記長尺板の長手方向側辺に対して略５５°の角度で傾斜している。
【００１０】
本考案の他の形態によれば、前記傾斜折り目の一方は前記長尺板の表面に対して山折りの折り跡で形成され、前記傾斜折り目の他方は前記長尺板の前記表面に対して谷折りの折り跡で形成される。
【００１１】
本考案の他の形態によれば、前記長尺板の長手方向の両端部の隅部が傾斜形に切除されている。
【００１２】
本考案のさらに他の形態によれば、前記直角折り目は前記長尺板の各端部から全長の略１／３の箇所に形成されている。
【００１３】
本考案のさらに他の形態によれば、前記直角折り目に近接した位置で長尺板の板面内に、非使用時（収納時）の折りたたみの際に反対側の長尺板端部を差し込む切込み溝が形成されている。
【考案の効果】
【００１４】
本考案による折りたたみ式うちわは、非使用時には小さな短冊状の長方形の形状に折りたたまれ、使用時には先方が広面積となった多角形状の状態となり、使用時の扇ぎ動作時にも形状のくずれ等が生じない。
【図面の簡単な説明】
【００１５】
【図１】本考案の実施例に係る折りたたみ式うちわの使用時の状態における平面図である。
【図２】図１に示す折りたたみ式うちわを構成する可撓性長尺板を縮小サイズで展開して示した平面図である。
【図３】図１に示す折りたたみ式うちわを完成させる前の長尺板の折りたたみ順序を説明するための図である。
【図４】図３の状態からさらに長尺板の他端を折り込んで折りたたみ式うちわを完成直前の状態にした平面図である。
【図５】図４の状態から完成した折りたたみ式うちわにするまでの途中の状態を示す平面図である。
【図６】本考案に係る折りたたみ式うちわを非使用時の収納状態にするときの折りたたみ途中の状態を示す平面図である。
【図７】本考案に係る折りたたみ式うちわを非使用時の収納状態にしたときの平面図である。
【図８】本考案の他の実施例に係る折りたたみ式うちわを構成する可撓性長尺板の平面図である。
【図９】図８に示す可撓性長尺板から構成した本考案の他の実施例に係る折りたたみ式うちわの平面図である。
【図１０】図９に示す実施例の折りたたみ式うちわの非使用時の折りたたみ状態を示す平面図である。
【図１１】長尺板の山折り部（同図（ａ））および谷折り部（同図（ｂ））を説明するための図である。
【考案を実施するための形態】
【００１６】
次に、本考案の折りたたみ式うちわを、図面を参照しつつ、実施例について説明する。
本実施例の折りたたみ式うちわ１０は、図１の完成図に示すように、全体としては変形７角形の形状を成し、平面視で板巾の狭い伸長部分１と板巾の広い広面積部分２とを有している。板巾の狭い伸長部分１は使用者が手で持つ部分であり、ここを手で持って扇ぐことにより、前記広面積部分２で風を発生させる。
【００１７】
この折りたたみ式うちわ１０の折り込みを解除し、完全に展開すると、図２に示すように平行な両長辺部３ａ，３ｂをもつ長尺板３の形態となる。本考案に係る可撓性長尺板３は弾性変形可能な厚紙あるいは可撓性で若干硬質のプラスチックシートなど適当に腰強さのある平板で構成される。図１，図３〜図７に比べて図２では縮小したサイズで長尺板を示しているが、実際には長さが約３８．５ｃｍ，巾が約６ｃｍの矩形状平板が例示される。この例では長尺板３の長さ／板巾の比はおよそ６．５となっている。ただし、この寸法はあくまで１例であり、本考案はこのサイズのものに限定されるものではない。長尺板３は全長を略３等分する箇所で長尺板３の長辺部３ａ，３ｂに対して直角な２つの直角折り目、具体的には２本の谷折り線５，６が形成されている。ここでは、この谷折り線５，６を他の折り線部分と区別するために直角谷折り線と称することとする。一方の直角谷折り線５の端部、つまり該直角谷折り線５が終端する箇所の長尺板３の一方の長辺部３ｂから長尺板３の長さ方向中央側へ向って所定角度θで傾斜した傾斜折り目、具体的には斜め山折り線７が長尺板３の反対側の長辺部３ａまで形成されている。
【００１８】
また、他方の直角谷折り線６の端部、つまり該直角谷折り線６が終端する箇所の長尺板３の前記一方の長辺部３ｂ位置から長尺板３の長さ方向中央側へ向って同じ所定角度θで傾斜した傾斜折り目、具体的には斜め谷折り線８が長尺板３の反対側の長辺部３ａ位置まで形成されている。この傾斜折り目は前記長尺板の長手方向側片に対する角度を短手方向側片に対する角度θより大きく形成している。これにより、長尺板３の端部がうちわの組み立て時に、うちわの中央に向かって折り曲げられ、長尺板３の中央領域Ａとこれに隣接する端辺領域Ｂ，Ｃの一部がうちわ機能を為す広面積部分２を形成し、長尺板３の端部寄りの重なり合う部分が持ち手機能を為す伸長部分１を形成する。なお、上述の斜め山折り線７および斜め谷折り線８の所定角度θは図示の実施例では３５°となっている。つまり、長尺板３の長手方向側辺に対して５５°の角度で長尺板中央側へ向って傾斜している。これによって、形成したうちわの中心に空孔が生じず、また、過剰な端部の重なり等が生じない。
なお、図２では明瞭化の観点から谷折り線と山折り線を区別するために、直角谷折り線５，６および斜め谷折り線８を太破線で示し、斜め山折り線７を太実線で示してある。
【００１９】
ここで本考案で用いられる山折り線、谷折り線の意味を図１１（ａ），（ｂ）を参照して説明する。本考案では、板面のおもて面１３に対面する方向Ｆからみて凸状に、つまり山形に突出するように折りぐせのある折曲げ線が付いている状態を山折り形態とし、このときの折曲げ線を山折り線１１と称する（図１１（ａ））。また、前記板面を前記と同じ方向Ｆからみて凹状に、つまり谷形に窪むように折りぐせの付いた折曲げ線の部分を谷折り形態とし、このときの折曲げ線を谷折り線１２と称する（図１１（ｂ））。折曲げ線はこの線を中心にして一方向にのみ折り曲げ易くなっており、図１１（ａ）の山折り線１１の場合は、長尺板をこの線で折りたたんだとき、該板の裏面１５同士が接合し、谷折り線１２（図１１（ｂ））の場合は、この谷折り線１２を挟んでその両側の長尺板のおもて面１３同士が接合する。いずれも長尺板を同じ板面方向Ｆからみた場合である。
【００２０】
図２に戻って、長尺板３の長さ方向両端部はその角部が概略４５°で傾斜形に切除されており、したがって長尺板３の端部は、長辺部３ａ，３ｂに対し直角の長さＤの短辺部１６と、この短辺部１６から前記長辺部３ａ，３ｂにつながる傾斜辺部１７とで形成される。長尺板３は長さ方向に３つの領域、即ち２つの直角谷折り線５，６の間の中央領域Ａと、その両側の各直角谷折り線５，６から長尺板端部までの２つの端片領域Ｂ，Ｃとの３つの領域に分けられる。
【００２１】
本考案に係る折りたたみ式うちわ１０は、上述した構成の長尺板３の谷折り、山折りの線に従って折りたたむことによって得られる。まず、図２のように、長尺板３の表面でみて斜め山折り線７の位置で長尺板３の一方の端片領域Ｂを背面側へ折りたたむことにより、該端片領域Ｂは長尺板３の中央領域Ａの裏側に折りたたまれる（図３）。この状態から斜め谷折り線８の位置で他方の端片領域Ｃをその斜め谷折り線８に従って図２のおもて面側へ折りたたむことにより、該端片領域Ｃは長尺板３の中央領域Ａのおもて側に重なるように折りたたまれる。この状態が図４の状態である。このとき、この斜め谷折り線８で折りたたまれた前記端片領域Ｃは、斜め山折り線７で折りたたまれた側の端片領域Ｂの裏面Ｂａに重なっており、このままでは互いに重なり合った両側の端片領域Ｂ，Ｃは容易に重なり解除方向へ開き得る形態となる。
【００２２】
次に、図４の状態から、斜め谷折り線８で折りたたまれた前記端片領域Ｃの先端部分を手で弾性偏倚させつつ前記斜め山折り線７で折りたたまれた側の端片領域Ｂの下側、つまりこの山折り線７で折りたたまれた端片領域Ｂの裏面側（この裏側の面は図２で見ればおもて面である）へ斜め谷折り線８側の端片領域Ｃを位置させる。これは厚紙あるいはプラスチックシート等長尺板の可撓性を利用したものであり、端片領域Ｃの先端を手でつまんで強制的に撓ませつつ端片領域Ｂの裏側へ位置させる。図５はこの時の一方の端片領域Ｃを弾性偏倚させる状態を示したものである。このように、長尺板の裏側へ山折りした端片領域Ｂの裏側へ、該長尺板のおもて側へ谷折りした端片領域Ｃを重ねる形態を、本考案では、長尺板の両端を互い違いに重ね合せた形態と称することとする。この状態で図１に示す折りたたみ式うちわ１０の状態となる。ここで斜め谷折りされた側の端片領域Ｃは、斜め山折りされた側の端片領域Ｂによって開き側（図１の紙面に向って垂直にこちら向き）へのめくれが拘束され、同時に前記斜め山折りされた側の端片領域Ｂは前記斜め谷折りされた端片領域Ｃによって図１の背面側から押さえられてその開き側（図１のうちわ背面側）へのめくれが拘束される。このようにして互い違いに重なった端片領域Ｂ，Ｃの先端部分を手で把持し、うちわ１０としての扇ぎ動作を行うことができる。うちわ１０の広巾面積部分２の横巾寸法は長尺板３の巾厚寸法Ｓ（図２）の２倍よりも大きな横巾となり、うちわとしての機能を有効に果たすことが可能となる。
【００２３】
使用時の状態、つまりうちわ１０の形態に折り込んだときの状態から非使用時の折りたたみ状態にするには、まず、図１の開き拘束状態に重なった端片領域Ｂ，Ｃの先端側を手で偏倚させつつ互い違いの重なりを解除して図４の状態にし、斜め山折り、斜め谷折りの部分を開いて図３から図２に示す伸長した長尺板３の状態にし、さらに、端片領域Ｃを中央領域Ａの上ヘ重なるように折りたたむ。その後、端片領域Ｂを、先に折りたたんだ端片領域Ｃの上へ折りたたむ。この状態が図７で示す収納時の折りたたみ状態である。その全長は当初の長尺板３の長さの略１／３の長さに収まり、この状態で非使用時の収納形態に構成される。図７の状態に重ねて短くなった矩形体は胸のポケットに収納したり、財布や小物入れ等に収容して携行することができる。
【００２４】
図８〜図１０は本考案の他の実施例を示したものである。この実施例で図１〜図７と異なるところは、長尺板に切込み溝１８が形成されている部分であり、他の部分は図１〜図７の実施例と同様であるため、同じ部分には同じ符号を付し、重複した説明は可能な範囲で省略する。図８に示すように、一方の端片領域Ｃで、その境界の直角谷折り線６の位置に近接して板巾方向にのびる切込み溝１８が形成されている。この切込み溝１８の長さＬは少なくとも反対側の長尺板端部の前記短辺部１６の長さＤよりも長い寸法に形成される。この図８の長尺板３を先に述べた順序で折り込んで図９に示すうちわ１０１を形成する。
【００２５】
使用時の状態、つまり図９のうちわ１０１の形態に折り込んだときの状態から非使用時の折りたたみ状態にするには、まず、図１で説明したように、長尺板端部の開きが拘束状態に重なった端片領域Ｂ，Ｃの先端側を手で偏倚させつつ互い違いの重なりを解除し、斜め山折り、斜め谷折りの部分を開いて図８に示す伸長した長尺板３の状態にし、さらに、長尺板３の直角谷折り線６の位置で切込み溝１８のある側の端片領域Ｃを中央領域Ａの上ヘ重なるように折りたたむ。その後、端片領域Ｂを、先に折りたたんだ端片領域Ｃの上へ折りたたむとともに、その先端（短辺部１６）を前記の端片領域Ｃの切込み溝１８に差し込む。この状態が図１０で示す収納時の折りたたみ状態である。これによって両側の端片領域Ｂ，Ｃは端片領域Ｂの短辺部先端を切込み溝１８から抜かない限り開く事がなく、その全長は当初の長尺板３の長さの略１／３の長さに収まり、この状態で非使用時の収納形態に構成される。図１０の状態に重ねて短くなった矩形体は胸のポケットに収納したり、財布や小物入れ等に収容して携行することができる。
【００２６】
上述の実施例では切込み溝は一方の端片領域に形成したが、他の実施例のように両側の端片領域の所定箇所、具体的には両側の直角谷折り線の近傍位置に形成することもできる。これによって、２つの端片領域はいずれを先に折りたたんでも、上側となる端片領域の先端部を下側の端片領域の切込み溝に差し込むことができ、収納時の折りたたみ操作がより簡単になる。
【符号の説明】
【００２７】
１  伸長部分
２  広面積部分
３  長尺板
３ａ，３ｂ  長辺部
５，６  直角谷折り線
７  斜め山折り線
８  斜め谷折り線
１０  折りたたみ式うちわ
１０１  折りたたみ式うちわ
１６  短辺部
１７  傾斜辺部
１８  切込み溝
Ａ  中央領域
Ｂ，Ｃ  端片領域
【図１】
0003191806.tif 000003
【図２】
0003191806.tif 000004
【図３】
0003191806.tif 000005
【図４】
0003191806.tif 000006
【図５】
0003191806.tif 000007
【図６】
0003191806.tif 000008
【図７】
0003191806.tif 000009
【図８】
0003191806.tif 000010
【図９】
0003191806.tif 000011
【図１０】
0003191806.tif 000012
【図１１】
0003191806.tif 000013